(57)【要約】【課題】曲の著作権を尊重しながら他装置で選択された曲をユーザに楽しませることができるオーディオ装置を提供すること。【解決手段】ＲＯＭ１６には、許可データを用いて受信された曲名データなどが許可された送信元からのデータか否かを判定するステップと、曲名データなどが許可された送信元からのデータである場合に受信された曲名データなどに対応する曲データが可搬型ディスク１２などに存在するか否かを判定するステップと、受信された曲名データなどに対応する曲データが存在する場合に曲データに対応する曲をスピーカに出力させるステップと、受信された曲名データなどに対応する曲データが存在しない場合に曲データが存在しない旨の音声をスピーカに出力させるステップとをＣＰＵ１７に実行させるオーディオプログラムが格納されている。【選択図】図１
2006190367.tif 000002
【特許請求の範囲】
【請求項１】
他装置によって送信された選曲データに対応し記憶媒体上に存在する曲データを用いて曲をスピーカに出力させる制御手段を備えたオーディオ装置。
【請求項２】
特定の他装置を選曲データの送信元として許可するための許可データを記憶する記憶手段を備え、
前記制御手段は、前記記憶手段に記憶された許可データが許可した他装置によって送信された選曲データに対応する曲をスピーカに出力させることを特徴とする請求項１に記載のオーディオ装置。
【請求項３】
前記制御手段は、他装置によって送信された選曲データに対応する曲データが記憶媒体上に存在しなければ、その旨を案内するための音声をスピーカに出力させることを特徴とする請求項１または請求項２に記載のオーディオ装置。
【発明の詳細な説明】
【技術分野】
【０００１】
本発明は、曲データから曲を再生するオーディオ装置に関するものであって、より詳しくは、車載端末や携帯電話などに関するものである。
【背景技術】
【０００２】
背景技術として、外部機器への内部音楽データの送信要求があると判断した場合には内部音楽データを外部機器へ近距離データ通信方式で送信する車載音響装置と、車載音響装置からの内部音楽データを近距離データ通信方式で受信し音楽をヘッドホンに出力させる携帯音響機器とを備え、車室内で音楽データを共用することができる自動車用音響システムが知られている（例えば、特許文献１を参照）。
【特許文献１】特開２００１−２９７５２７号公報（第１２頁、第８図）
【発明の開示】
【発明が解決しようとする課題】
【０００３】
しかしながら、特許文献１に記載のものにおいては、内部音楽データが近距離データ通信方式で送受信されているので、内部音楽データは車外の機器に送信されず、車内の装置と車外の装置との間で同一の曲を再生することはできないという問題があった。他方、内部音楽データを公衆回線を介して送受信することは、内部音楽データに関する著作権を保護する観点から好ましくない。
【０００４】
そこで、本発明は、前述の課題を解決するためになされたもので、曲の著作権を尊重しながら他装置で選択された曲をユーザに楽しませることができるオーディオ装置を提供することを目的とする。
【課題を解決するための手段】
【０００５】
本発明に係るオーディオ装置は、他装置によって送信された選曲データに対応し記憶媒体上に存在する曲データを用いて曲をスピーカに出力させる制御手段を備える構成を有している。
【０００６】
ここで、「他装置」とは、自装置以外の装置をいう。「選曲データ」とは、他装置で手動または自動で選択された曲データに関連付けられ曲データを識別するためのデータをいう。「記憶媒体」とは、データを記憶する媒体をいい、自装置に予め設けられているか否かを問わない。「曲データ」とは、曲を示すデータをいう。
【０００７】
この構成によれば、他装置が選択された曲に関する選曲データを送信すると、自装置は他装置で選択された曲を出力する。
【発明の効果】
【０００８】
本発明は、他装置によって送信された選曲データに対応し記憶媒体上に存在する曲データを用いて曲をスピーカに出力させる制御手段を設けることによって、曲の著作権を尊重しながら他装置で選択された曲をユーザに楽しませることができるという効果を有するオーディオ装置を提供することができるものである。
【発明を実施するための最良の形態】
【０００９】
以下、本発明に係るオーディオ装置を実施するための最良の形態について、図１ないし図４を参照しながら説明する。まず、本実施の形態に係るオーディオ装置の構成を図１を参照しながら説明する。
【００１０】
図１に示すように、オーディオ装置１は、オーディオ装置１の構成と同じ構成を有する他装置２とデータ網を介して接続されている。オーディオ装置１は、各種デバイスからのデータを入力する入力ＩＦ１１と、可搬型ディスク（記憶媒体に相当）１２の上に存在するデータを読み取る読取機１３と、データ網を介してデータ通信を行う通信機１４と、データを記憶するＨＤＤ（記憶媒体および記憶手段に相当）１５と、各種プログラムを格納するＲＯＭ（制御手段に相当）１６と、ＲＯＭ１６に格納された各種プログラムを実行するＣＰＵ（制御手段に相当）１７と、入力ＩＦ１１やＣＰＵ１７などからのデータを保持するＲＡＭ１８と、ＣＰＵ１７からのデータなどを出力する出力ＩＦ１９とを備える。
【００１１】
入力ＩＦ１１には、メモリカードなどの外部記憶装置（記憶媒体に相当）２０が接続されており、外部記憶装置２０からのデータが入力ＩＦ１１を介してＲＡＭ１８に保持される。図２に示すように、外部記憶装置２０には、曲データや曲データごとに関連付けられたヘッダデータなどを記憶する。ヘッダデータには、曲名を示す曲名データ、曲の演奏時間を示す曲時間データや曲の演奏順を示す曲順データなどが含まれており、本実施の形態では、「選曲データ」を、手動または自動で選択された曲データに関連付けられたヘッダデータに含まれる曲名データおよび曲時間データとして説明する。
【００１２】
可搬型ディスク１２は、ＣＤ−ＲＯＭやＤＶＤ−ＲＯＭなどのディスク形状をした可搬型の記憶媒体であり、曲データや曲データごとに関連付けられたヘッダデータなどを記憶する。曲データやヘッダデータなどのデータ形式は、外部記憶装置２０に記憶されたものと同様である（図２を参照）。
【００１３】
ＨＤＤ１５には、曲データや曲データごとに関連付けられたヘッダデータなどが記憶されており、曲データやヘッダデータなどのデータ形式は、外部記憶装置２０に記憶されたものと同様である（図２を参照）。また、ＨＤＤ１５には、特定の他装置２を選曲データの送信元として許可するための許可データや曲名データおよび曲時間データに対応する曲データが存在しない旨の音声を示す音声データなどが記憶されている。
【００１４】
ＲＯＭ１６には、許可データを用いて受信された曲名データおよび曲時間データが許可された送信元からのデータか否かを判定するステップと、曲名データおよび曲時間データが許可された送信元からのデータである場合に受信された曲名データおよび曲時間データに対応する曲データが可搬型ディスク１２、ＨＤＤ１５および外部記憶装置２０の何れかに存在するか否かを判定するステップと、受信された曲名データおよび曲時間データに対応する曲データが存在する場合に曲データに対応する曲をスピーカに出力させるステップと、受信された曲名データおよび曲時間データに対応する曲データが存在しない場合に曲データが存在しない旨の音声をスピーカに出力させるステップとをＣＰＵ１７に実行させるオーディオプログラムが格納されている。
【００１５】
出力ＩＦ１９には、スピーカ２１が接続されており、ＣＰＵ１７からのデータに対応する音声がスピーカ２１によって出力される。
【００１６】
以上のように構成されたオーディオ装置１について、図３および図４を参照しながらその動作を説明する。図３に示すように、他装置２では、図示しないＣＰＵおよびＲＯＭなどによって以下の処理が実行される。
【００１７】
まず、曲データが選択されたか否かが判定される（ステップＳ１）。ここで、「選択」には、ユーザ操作による手動での選択だけでなく、曲順再生やランダム再生などによって装置が自動的に曲を選択した場合も含まれる。
【００１８】
ステップＳ１で曲データが選択されていないとの判定がなされると（Ｓ１のＮｏ）、他装置２において、データを送信するための処理は終了する。
【００１９】
他方、ステップＳ１で曲データが選択されたとの判定がなされると（Ｓ１のＹｅｓ）、選択された曲データに関連付けられたヘッダデータに含まれる曲名データおよび曲時間データが装置を識別するための識別データとともにデータ網上に送信される（ステップＳ２）。
【００２０】
識別データ、曲名データおよび曲時間データがデータ網上に送信されると、オーディオ装置１において、通信機１４が識別データ、曲名データおよび曲時間データをデータ網上から受信する（ステップＳ３）。受信された識別データ、曲名データおよび曲時間データはＲＡＭ１８に保持される。
【００２１】
曲名データなどがＲＡＭ１８に保持された後、ＣＰＵ１７は、ＲＯＭ１６に格納されたオーディオプログラムを解釈して、以下の処理を実行する。
【００２２】
ＣＰＵ１７は、ＲＡＭ１８上の識別データおよびＨＤＤ１５上の許可データを用いて曲名データおよび曲時間データが許可された送信元からのデータか否かを判定する（ステップＳ４）。具体的には、識別データと許可データとが一致すれば、識別データとともに受信された曲名データおよび曲時間データは許可された送信元からのデータであるとの判定がなされる。
【００２３】
ステップＳ４で曲名データおよび曲時間データが許可された送信元からのデータであるとの判定がなされると（Ｓ４のＹｅｓ）、ＣＰＵ１７は、受信された曲名データおよび曲時間データに対応する曲データが可搬型ディスク１２、ＨＤＤ１５および外部記憶装置２０の何れかに存在するか否かを判定する（ステップＳ５）。具体的には、受信された曲名データおよび曲時間データを含むヘッダデータに関連付けられた曲データが可搬型ディスク１２、ＨＤＤ１５および外部記憶装置２０に記憶された曲データの中で検索される。
【００２４】
ステップＳ５で受信された曲名データおよび曲時間データに対応する曲データが存在するとの判定がなされると（Ｓ５のＹｅｓ）、ＣＰＵ１７は、受信された曲名データおよび曲時間データに対応する曲データを可搬型ディスク１２、ＨＤＤ１５および外部記憶装置２０の何れかから読み出して、読み出した曲データに対応する曲をスピーカ２１に出力させる（ステップＳ６）。
【００２５】
例えば、図４に示すように、車両に搭載された他装置２において「あっかる〜いナショ・・・♪」という曲が出力されていれば、車両に搭載されたオーディオ装置１ａでも「あっかる〜いナショ・・・♪」という曲が出力される。
【００２６】
他方、ステップＳ５で受信された曲名データおよび曲時間データに対応する曲データが存在しないとの判定がなされると（Ｓ５のＮｏ）、ＣＰＵ１７は、ＨＤＤ１５に記憶された音声データを読み出して、受信された曲名データおよび曲時間データに対応する曲データが存在しない旨の音声をスピーカ２１に出力させる。
【００２７】
例えば、図４に示すように、車両に搭載された他装置２において「あっかる〜いナショ・・・♪」という曲が出力されていても、車両に搭載されたオーディオ装置１ｂでは「あっかる〜いナショ・・・♪」という曲に対応する曲データが存在しないので、「曲が存在しません」との音声が出力される。
【００２８】
ステップＳ４で曲名データおよび曲時間データが許可された送信元からのデータではないとの判定がなされ（Ｓ４のＮｏ）、ステップＳ６で受信された曲名データおよび曲時間データに対応する曲が出力され、またはステップＳ７で受信された曲名データおよび曲時間データに対応する曲データが存在しない旨の音声が出力されると、ＣＰＵ１７は、ＲＡＭ１８に識別データ、曲名データおよび曲時間データが存在しないか否かを判定する（ステップＳ８）。
【００２９】
ステップＳ８で識別データ、曲名データおよび曲時間データが存在するとの判定がなされると（ステップＳ８のＮｏ）、ＣＰＵ１７は、ステップＳ４ないしステップＳ８の処理を実行する。他方、ステップＳ８で識別データ、曲名データおよび曲時間データが存在しないとの判定がなされると（ステップＳ８のＹｅｓ）、ＣＰＵ１７は、オーディオプログラムの処理を終了する。
【００３０】
以上本実施の形態によれば、他装置２が曲名データなどを送信すると、オーディオ装置１が曲名データなどに対応する曲を自装置側の可搬型ディスク１２、ＨＤＤ１５および外部記憶装置２０から読み出して出力するので、曲データ自体が共有されることなく、オーディオ装置１と他装置２との間で同一の曲が出力される。つまり、曲の著作権を尊重しながら他装置２で選択された曲をユーザに楽しませることができる。
【００３１】
また、本実施の形態では、他装置２が曲名データとともに曲時間データを送信し、オーディオ装置１が曲名データおよび曲時間データに対応する曲を自装置側の可搬型ディスク１２、ＨＤＤ１５および外部記憶装置２０から読み出して出力するので、同一曲名でありながら異なる曲が出力されてしまうことを防ぐことができる。
【００３２】
また、本実施の形態によれば、他装置２が曲名データおよび曲時間データを識別データとともに送信し、オーディオ装置１が許可データを用いて送信元を判別するので、オーディオ装置１と特定の他装置２との間でのみ同一の曲が出力される。つまり、ユーザに対してその仲間の所有する他装置２で選択された曲のみを楽しませることができる。
【００３３】
また、本実施の形態によれば、他装置２が曲名データおよび曲時間データを送信しても、オーディオ装置１が曲名データおよび曲時間データに対応する曲を自装置側の可搬型ディスク１２、ＨＤＤ１５および外部記憶装置２０から読み出せなければ、曲が存在しない旨の音声が出力するので、新たに曲データを購入すべきことをユーザに促すことができる。
【００３４】
他の実施の形態として、他装置２が曲名データおよび曲時間データを送信しても、オーディオ装置１が曲名データおよび曲時間データに対応する曲を自装置側の可搬型ディスク１２、ＨＤＤ１５および外部記憶装置２０から読み出せなければ、他の曲がが出力されてもよい。例えば、車両に搭載された他装置２において「あっかる〜いナショ・・・♪」という曲が出力されていても、車両に搭載されたオーディオ装置１ｃでは「あっかる〜いナショ・・・♪」という曲に対応する曲データが存在しないので、「この〜・・・なんの・・・♪」との曲が出力される（図４を参照）。
【００３５】
この実施の形態によれば、オーディオ装置１が曲名データおよび曲時間データに対応する曲を自装置側の可搬型ディスク１２、ＨＤＤ１５および外部記憶装置２０から読み出せなくても、他の曲をユーザに楽しませることができる。
【００３６】
なお、以上の説明では、選曲データを曲名データおよび曲時間データで構成した例について説明したが、選曲データを曲名データのみで構成しても構わない。また、選曲データは、曲を特定できるデータであればよく、実施の形態で説明されたデータに限らない。
【産業上の利用可能性】
【００３７】
以上のように、本発明に係るオーディオ装置は、曲の著作権を尊重しながら他装置で選択された曲をユーザに楽しませることができるという効果を有し、車載端末や携帯電話などとして有用である。
【図面の簡単な説明】
【００３８】
【図１】本発明に係るオーディオ装置を実施するための最良の形態の構成を示すブロック図
【図２】本実施の形態におけるデータの構成を示すデータ構成図
【図３】本実施の形態におけるオーディオ装置の処理を示すフローチャート
【図４】本実施の形態における曲および音声の出力例を示す図
【符号の説明】
【００３９】
１    オーディオ装置
２    他装置
１２    可搬型ディスク（記憶媒体）
１５    ＨＤＤ（記憶媒体、記憶手段）
１６    ＲＯＭ（制御手段）
１７    ＣＰＵ（制御手段）
２０    外部記憶装置（記憶媒体）
２１    スピーカ
【図１】
2006190367.tif 000003
【図２】
2006190367.tif 000004
【図３】
2006190367.tif 000005
【図４】
2006190367.tif 000006